(57)【要約】【課題】糸取付部材と保持用ホルダーとに簡単な改良を施すことで、製作負担を大きくすることなく、糸取付部材をガタツキなく、回転できる釣り竿を提供する。【解決手段】釣り糸３が取り付けられる糸取付部４Ａとその糸取付部４Ａを支持する基端部４Ｃとを備えた糸取付部材４の糸取付部４Ａを、穂先竿２の竿先端に取り付け固定してある保持用ホルダー５の挿通孔５Ａに挿通支持させて、糸取付部材４を基端部４Ｃの軸線回りで回動自在に支持する。保持用ホルダー５内において糸取付部材４の基端部４Ｃと穂先竿２の竿先端との間に硬質のボール６を装入する。硬質のボール６を永久磁石で構成するとともに、糸取付部材４の基端部４Ｃを磁性体で構成してある。【選択図】        図１
2010000061.tif 000002
【特許請求の範囲】
【請求項１】
釣り糸が取り付けられる糸取付部とその糸取付部を支持する基端部とを備えた糸取付部材の前記基端部を、穂先竿の竿先端に取り付け固定してある保持用ホルダーに挿通支持させて、前記糸取付部材を前記基端部の軸線回りで回動自在に支持してある釣り竿であって、
前記保持用ホルダー内において前記糸取付部材の基端部と前記穂先竿の竿先端との間に転がり軸受体を装入し、
前記転がり軸受体に永久磁石部を備えるとともに、前記糸取付部材の基端部に磁性体部を備えて構成してある釣り竿。
【請求項２】
前記保持用ホルダーに磁性体部を装備してある請求項１記載の釣り竿。
【請求項３】
前記保持用ホルダー内において、前記転がり軸受体と穂先竿の竿先端との間にストッパ体を設け、前記ストッパ体に永久磁石部を備えてある請求項１又は２記載の釣り竿。
【発明の詳細な説明】
【技術分野】
【０００１】
本発明は、釣り糸が取り付けられる糸取付部とその糸取付部を支持する基端部とを備えた糸取付部材の前記糸取付部を、穂先竿の竿先端に取り付け固定してある保持用ホルダーの挿通孔に挿通支持させて、前記糸取付部材を前記基端部の軸線回りで回動自在に支持してある釣り竿に関する。
【背景技術】
【０００２】
上記のように、糸取付部材を、保持用ホルダーに挿通孔を介して取り付けている釣り竿においては、糸取付部材を保持用ホルダーの軸線を中心として回転を自在に行わせる為に、挿通孔とその挿通孔に挿通支持される糸取付部材の対応する部分との間には、間隙を設けてある  （例えば特許文献１参照）。
【特許文献１】特開２００７−２８９０１０号公報（段落番号〔００２５〕〔００２６〕、図１）
【発明の開示】
【発明が解決しようとする課題】
【０００３】
その為に、糸取付部材がガタツキを持って回転するところから、そのことが釣り糸を通して針係りした魚に影響を与えたり、釣り竿を通して釣り人の手に伝わり、釣り操作の趣を損ねることとなっていた。
このような場合に、挿通孔の孔径を糸取付部材の前記対応する部分の軸径と十分近接する径に製作して、殆ど間隙のない状態に切り換えることが考えられる。そうすると、却って、糸取付部材の回転に円滑さを欠くこととなる虞があるとともに、製作工程が増大し、製作精度として高度のものが要求されることとなるという製作負担が大きくなる虞がある。
【０００４】
本発明の目的は、糸取付部材と保持用ホルダーとに簡単な改良を施すことで、製作負担を大きくすることなく、糸取付部材をガタツキなく、回転できる釣り竿を提供する点にある。
【課題を解決するための手段】
【０００５】
〔構成〕
請求項１に記載の本願発明の特徴構成は、前記保持用ホルダー内において前記糸取付部材の基端部と前記穂先竿の竿先端との間に転がり軸受体を装入し、前記転がり軸受体に永久磁石部を備えるとともに、前記糸取付部材の基端部に磁性体部を備えて構成してある点にあり、その作用効果は次の通りである。
【０００６】
〔作用〕
つまり、転がり軸受体に備えた永久磁石部で糸取付部材の基端部を磁化して、糸取付部材を磁力で転がり軸受体に引き寄せ当接させることによって、糸取付部材の姿勢が安定し、挿通孔との間に間隙があっても、ガタツキなく糸取付部材を回転させることができる。それによって、糸取付部材の姿勢が安定するので、挿通孔とその挿通孔に挿通支持される糸取付部材の対応する部分との間隙を必要以上に狭めることはなく、それによって製作工程の増大、精密な製作技術を必要とすることなく、ガタツキのない糸取付部材の姿勢を確保できた。
【０００７】
〔効果〕
上記したように、ガタツキを抑制できたので、そのガタツキが釣り糸を通して針係りした魚に影響を与えたり、釣り竿を通して釣り人の手に伝わり釣り操作の趣を損ねるといったこと抑制できる釣り竿を提供できるに至った。
【０００８】
〔構成〕
本発明のうちの請求項２に記載の発明では、上記請求項１に記載の発明において、前記保持用ホルダーに磁性体部を装備してある点にあり、その作用効果は次の通りである。
【０００９】
〔作用効果〕
保持用ホルダーも磁化されるので、糸取付部材が保持用ホルダーの挿通孔の内周面に当接することとなる。これによって、糸取付部材における保持用ホルダーの挿通孔に挿通される基端部は、径方向にあってはその挿通孔に当接して支持されとともに、軸線方向にあっては転がり軸受体に当接して、姿勢が確保されている。
これによって、糸取付部材は転がり軸受体に当接するだけの場合に比べて更に姿勢が安定し、ガタツキなく回転可能である。
また、糸取付部材の基端部が保持用ホルダーの挿通孔の内周面に当接する状態は、拡大視すると、基端部が挿通孔の全周に当接しているわけではなく、挿通孔の内周面の周方向における一位相部分で接触しているだけなので、回転抵抗も全周に亘って接触している場合に比べて大きくはなく、糸取付部材の回転に与える影響は少ない。
【００１０】
〔構成〕
請求項３に係る本願発明の特徴構成は、上記請求項１又は２記載の発明において、前記保持用ホルダー内において、前記転がり軸受体と穂先竿の竿先端との間にストッパ体を設け、前記ストッパ体に永久磁石部を備えてある点にあり、その作用効果は次の通りである。
【００１１】
〔作用効果〕
ストッパ体と転がり軸受体とで磁化線を発生することができるので、転がり軸受体単独で糸取付部材を磁化する場合に比べて強力に磁化力を及ぼすことができ、糸取付部材の姿勢安定化に一層寄与できる。
【発明を実施するための最良の形態】
【００１２】
〔第１実施形態〕
図１には鮎竿や渓流竿などの釣り竿１が示されており、この釣り竿１は、先細りの中実棒状に形成した穂先竿２の先端部に、釣り糸３が取り付けられる糸取付部材４を、釣り竿１の軸線Ｘ周りに相対回動可能に備えて構成されている。
【００１３】
図示は省略するが、穂先竿２は、軸線に沿って束ねたガラス強化繊維の束（５００本〜１０００本）に、熱硬化性樹脂を含浸させた後、ダイスより引き抜き、所定長さに裁断して中実棒状に形成し、その先端側ほど細くするための研削加工などを施して形成されている。
【００１４】
ところで、穂先竿２の素材には、炭素繊維などを採用することも可能であるが、ここでは炭素繊維などに比較して弾性率が低く、柔軟性及び靱性の高いガラス繊維を採用してある。
【００１５】
図１〜３に示すように、糸取付部材４は、釣り糸３が結び付けられる小径円柱状の糸取付部４Ａと、この糸取付部４Ａからの釣り糸３の抜け落ちを防止する一対の抜止部４Ｂと、穂先竿２に連結される大径円柱状の基端部４Ｃとを有するように形成されており、その基端部４Ｃが、樹脂などで筒状に形成された保持用ホルダー５を介して穂先竿２に連結されている。
【００１６】
糸取付部材４は、磁性体部を備える必要があり、全体を磁性材料で構成することも可能であるが、糸取付部材４の一部としての基端部のみに磁性体を利用して構成してもよい。磁性材料としては、酸化鉄や酸化クロム等が使用できる。
ここで、磁性体とは、他物からの磁力を受けて磁性を帯びる物体をいい、狭義には強磁性体をいう。
【００１７】
図１に示すように、保持用ホルダー５は、その先端部に、糸取付部材４の糸取付部４Ａが挿通される挿通孔５Ａと、糸取付部材４の基端部４Ｃを抜け止め保持する保持部５Ｂとを備え、その先端部に糸取付部材４の基端部４Ｃを内嵌させた状態で、その竿元側を穂先竿２の先端側に外嵌した後、その嵌合部の所定箇所が、穂先竿２に形成した一対の凹部２Ａにカシメ処理によって係入されることで、穂先竿２の先端部に糸取付部材４を釣り竿１の軸線Ｘ周りに相対回動可能に連結保持する。
保持用ホルダー５としては、アルミニュウムやチタン等の軽量金属が使用される。
【００１８】
保持用ホルダー５の内部において、穂先竿２の先端と糸取付部材４の基端部４Ｃとの間には、糸取付部材４の回転抵抗を低減させる転がり軸受体としての硬質のボール６が介装されている。
硬質のボール６は、永久磁石部を備える必要があり、全体を永久磁石材料で構成することも可能であるが、ボール６の外周面の一部に永久磁石を嵌め込み、外周面の他の部分には、耐摩耗性の高い硬質材料で構成してもよい。永久磁性材料としては、アルニコ、フェライト、ネオジュウム磁石等が使用できる。
ここで、永久磁石とは、外部から磁場や電流の供給を受けることなく磁石としての性質を長期に亘って保持し続ける物体をいう。
【００１９】
図１に示すように、ボール６と穂先竿２の竿先端との間には、ボール６を受け止めるストッパ体７が設けてあり、このストッパ体７に永久磁石部を備えてもよい。これによって、ボール６とストッパ体７との磁力で糸取付部材４を引き付けるので、糸取付部材４のガタツキを強力に抑えることができる。
図１及び図２に示すように、保持用ホルダー５の保持部５Ｂの内側面と糸取付部材４の基端部４Ｃとの間に、滑りワッシャ１１が設けてあり、摩擦抵抗の低減を図る構成を採っている。
【００２０】
保持用ホルダー５に磁性体部を備えてもよい。つまり、保持用ホルダー５に磁性体部を備えると、ボール６によって磁化された糸取付部材４からの磁力の影響を受けて、糸取付部材４を保持している保持用ホルダー５が磁化される。これによって、糸取付部材４が保持用ホルダー５の挿通孔５Ａの内周面に当接され、糸取付部材４のガタツキが一層抑制される。
【００２１】
上記のような構成によって、硬質のボール６によって糸取付部材４が引き付けられるので、糸取付部材４と保持用ホルダー５の挿通孔５Ａとの間に形成されている間隙に起因する糸取付部材４のガタツキが抑制される。この場合には、硬質のボール６と糸取付部材４の糸取付部４Ａとが軸線方向に沿った位置で当接するだけであるので、糸取付部材４が軸線Ｘ周りで回転する際に抵抗が大きくならず、釣り操作時において糸取付部材４の回転機能が阻害されていないので、釣り糸３の絡みつきを抑制する機能を維持する。
【００２２】
〔第２実施形態〕
ここでは、糸取付部材４として、リリアン製の糸取付部４Ａを採用したものについて説明する。図３に示すように、糸取付部材４を、リリアン製の糸取付部４Ａと、保持用ホルダー５内に収納された円盤状の基端部４Ｃと、基端部４Ｃから竿先側に向けて延出された棒状の連結部４Ｄとで構成し、連結部４Ｄの先端部分に膨出部４ｄを形成して、糸取付部４Ａを膨出部４ｄに外嵌接着固定してある。
【００２３】
基端部４Ｃと保持用ホルダー５の保持部５Ｂの内周壁面との間には、Ｏリング等の摩擦低減部材９が装着してあり、糸取付部４Ａが基端部４Ｃの軸線回りで円滑に回転できるように構成してある。
尚、図示するように、糸取付部材４の基端部４Ｃとストッパ体７との間に、第１実施形態と同様の硬質のボール６を設けてもよい。そして、このボール６に永久磁石部を装備するようにしてもよい。これによって、糸取付部材４のガタツキを抑制することができる。
【００２４】
〔その他の実施形態〕
糸取付部材４のガタツキのない別の構成について説明する。図２に示すように、糸取付部材４を保持用ホルダー５に回転自在に支持し、糸取付部材４の基端部４Ｃを受ける硬質のボール６を設ける点は、第１実施形態と同様である。
そしてここでは、ボール６と竿元側に設けたストッパ体７との間に、付勢バネ１０を設けて、ボール６を糸取付部材４に当接する構成を採っている。このように、付勢バネ１０の付勢力を糸取付部材４の基端部４Ｃの軸線Ｘ上に作用させることができるので、糸取付部材４の軸線Ｘ周りでの回転作動を抑制することが少なく、かつ、基端部４Ｃと挿通孔５Ａとの間隙に起因するガタツキを抑制できる。
【００２５】
〔別実施形態〕
〔１〕  転がり軸受体６としては、必ずしも、球状のボールでなくてもよく、ローラを周方向に複数個配置したものであってもよい。
〔２〕  転がり軸受体６に永久磁石部を備える構成としては、転がり軸受体の全部を永久磁石で構成してもよく、或いは、一部に永久磁石を埋め込む構成を採ってもよい。同様の構成は、ストッパ体７に永久磁石部を備える場合も同様である。
〔３〕  糸取付部材４に磁性体部を備える構成としては、糸取付部材４の全部を磁性体で構成してもよく、或いは、一部に磁性体を埋め込む構成を採ってもよい。同様の構成は、保持用ホルダー５に磁性体部を備える場合も同様である。
〔４〕  ストッパ体７は特になくてもよく、転がり軸受体６を直接穂先竿２の竿先端に当接させる構成を採ってもよい。
【図面の簡単な説明】
【００２６】
【図１】糸取付部材を穂先竿の先端部に取り付け、転がり軸受体を永久磁石で構成した状態を示す縦断側面図
【図２】糸取付部材を穂先竿の先端部に取り付け、転がり軸受体とストッパ体との間に付勢バネを介在させた状態を示す縦断側面図
【図３】糸取付部材としてリリアンを使用したものに、本願発明を適用した状態を示す縦断側面図
【符号の説明】
【００２７】
２    穂先竿
３    釣り糸
４    糸取付部材
４Ａ  糸付部
４Ｃ  基端部
５    保持用ホルダー
５Ａ  挿通孔
６    硬質のボール（転がり軸受体）
７    ストッパ体
Ｘ    軸線
【図１】
2010000061.tif 000003
【図２】
2010000061.tif 000004
【図３】
2010000061.tif 000005